(57)【特許請求の範囲】
【請求項１】
高さの異なる有底箱状をなす複数種類の容器体から構成され、下方に位置する容器体の上端部に上方に位置する容器体の底部を載せるスタッキング状態で上下に積み重ねることができるとともに、下方に位置する容器体の収容空間内に上方に位置する容器体の底部を挿入するネスティング状態で上下に積み重ねることができるように構成された運搬用容器であって、
前記容器体の下端には、前記容器体の上端に凹設された脚部係合部に係合する係止角部が形成され、前記複数種類の容器体は、いずれも下端から係止角部までのラップ高さが同じ高さに形成され、
前記容器体の係止角部から前記容器体の上端までをスタッキング高さとし、前記複数種類の容器体のうち、最大の高さを有する容器体のスタッキング高さを、各容器体のスタッキング高さ及びネスティング高さの最小公倍数になるように形成し、前記複数個の容器体を上下に積み重ねてユニットを形成した後、複数のユニットを横方向に並べて配置したとき、各ユニットの上端の高さを揃えることができるように構成した運搬用容器。
【請求項２】
前記複数種類の容器体のうち、最大の高さを有する容器体のネスティング高さを、各容器体のネスティング高さの最小公倍数になるように形成した請求項１に記載の運搬用容器。
【発明の詳細な説明】
【０００１】
【発明の属する技術分野】
この発明は、高さの異なる複数種類の容器体を、スタッキング状態及びネスティング状態で上下に積み重ねることができる運搬用容器に関するものである。より詳しくは、スタッキング状態及びネスティング状態の少なくとも１種の状態で上下に積み重ねてユニットを形成した後、複数のユニットを横方向に並べて配置したときに、各ユニットの上端の高さを揃えることができるように構成した運搬用容器に関するものである。
【０００２】
【従来の技術】
従来より、この種の運搬用容器としては、大きさが等しく同じ形状の運搬用容器を、スタッキング状態及びネスティング状態の少なくとも１種の状態で上下に積み重ねることができる運搬用容器が知られていた。そして、この同大同形状の複数個の運搬用容器をスタッキング状態及びネスティング状態を組み合わせつつ上下に積み重ねてユニットを形成した後、複数のユニットを横方向に並べて配置したとき、各ユニットを構成するスタッキング状態の運搬用容器と、ネスティング状態の運搬用容器との個数を揃えることによって、各ユニットの上端の高さを揃えて配置することができた。
【０００３】
【発明が解決しようとする課題】
ところが、前記従来の運搬用容器において、同じタイプで高さの異なる運搬用容器を複数種類用意した後、それらをスタッキング状態及びネスティング状態の少なくとも１種の状態で上下に積み重ねたときには、以下のようになっていた。すなわち、これら各運搬用容器の高さがそれぞれ異なっていることから、各運搬用容器のスタッキング高さ及びネスティング高さが各運搬用容器毎に異なって形成されていた。このため、種類の異なる複数個の運搬用容器を上下に積み重ねてユニットを形成した後、複数のユニットを横方向に並べて配置したとき、各ユニットの上端の高さを揃えることが非常に困難であった。
【０００４】
従って、例えば、パレットや車両の荷台等の上に複数のユニットを横方向に並べて配置し、さらにそれら複数のユニットの上端をロープ等を用いて係止した場合、強固に係止されていないユニットが幾つか存在していた。そして、これらの運搬用容器をパレットや車両の荷台等の上に載置して運搬したときには、非常に容易に荷崩れしてしまうおそれがあった。
【０００５】
この発明は、上記のような従来技術に存在する問題点に着目してなされたものである。その目的とするところは、同じタイプで高さの異なる複数種類の運搬用容器を上下に積み重ねてユニットを形成した後、複数のユニットを横方向に並べて配置したとき、各ユニットの上端の高さを揃えることができる運搬用容器を提供することにある。
【０００６】
【課題を解決するための手段】
上記の目的を達成するために、請求項１に記載の発明の運搬用容器は、高さの異なる有底箱状をなす複数種類の容器体から構成され、下方に位置する容器体の上端部に上方に位置する容器体の底部を載せるスタッキング状態で上下に積み重ねることができるとともに、下方に位置する容器体の収容空間内に上方に位置する容器体の底部を挿入するネスティング状態で上下に積み重ねることができるように構成された運搬用容器であって、前記容器体の下端には、前記容器体の上端に凹設された脚部係合部に係合する係止角部が形成され、前記複数種類の容器体は、いずれも下端から係止角部までのラップ高さが同じ高さに形成され、前記容器体の係止角部から前記容器体の上端までをスタッキング高さとし、前記複数種類の容器体のうち、最大の高さを有する容器体のスタッキング高さを、各容器体のスタッキング高さ及びネスティング高さの最小公倍数になるように形成し、前記複数個の容器体を上下に積み重ねてユニットを形成した後、複数のユニットを横方向に並べて配置したとき、各ユニットの上端の高さを揃えることができるように構成したものである。
【０００７】
請求項２に記載の発明の運搬用容器は、請求項１に記載の発明において、前記複数種類の容器体のうち、最大の高さを有する容器体のネスティング高さを、各容器体のネスティング高さの最小公倍数になるように形成したものである。
【０００８】
【発明の実施の形態】
以下、この発明の実施形態を、図面に基づいて詳細に説明する。
図２（ａ）及び（ｂ）に示すように、合成樹脂により有底長四角箱状に形成された第１容器体１１は、長四角板状の底壁の周縁に沿って対向する各一対の長側壁１１ａ及び短側壁１１ｂが立設されている。これらの側壁１１ａ、１１ｂはいずれも、上方ほど僅かに拡がるテーパ形状に形成されている。
【０００９】
この第１容器体１１の上端部には、各側壁１１ａ、１１ｂの上端縁に沿って外方に連続して延びる上部フランジ１２が突設されている。各長側壁１１ａ及び短側壁１１ｂ上端部の上部フランジ１２には、平面ほぼ長方形状に形成された２つの脚部係合部１２ａが、微小な深さに凹設された部分に設けられている。さらに、一方の長側壁１１ａ及び短側壁１１ｂに設けられた各一対の脚部係合部１２ａは、所定間隔をおいて各側壁１１ａ、１１ｂのやや中央寄りに設けられ、他方の長側壁１１ａ及び短側壁１１ｂに設けられた各一対の脚部係合部１２ａは、所定間隔をおいて各側壁１１ａ、１１ｂのやや外寄りに設けられている。
【００１０】
前記上部フランジ１２の下方位置には、各側壁１１ａ、１１ｂの外側面から横方向に連続して延びる下部フランジ１３が突設され、この下部フランジ１３を手で把持することによって、第１容器体１１を容易に運搬することができるようになっている。一方の短側壁１１ｂの上端部中央の上部フランジ１２には、第１容器体１１と異なる色で着色されたマーカー部１４が設けられ、第１容器体１１の向きを容易に把握することができるように構成されている。
【００１１】
各長側壁１１ａ及び短側壁１１ｂの外側面には、ほぼ長四角箱状に形成された各一対の脚部１５が、上下方向に延びるように突設されている。これらの脚部１５を構成する各側面は、上方ほど僅かに拡がるテーパ形状に形成されている。さらに、各脚部１５の下端部には、前記脚部係合部１２ａと係合する係止部としての係止角部１５ａが設けられている。また、これらの脚部１５は、各側壁１１ａ、１１ｂを外方に突出させることによって形成されており、それによって各脚部１５の内面には、脚部収容凹部１６が凹設されている。
【００１２】
一方の長側壁１１ａ及び短側壁１１ｂに設けられた各一対の脚部１５は、所定間隔をおいて各側壁１１ａ、１１ｂのやや外寄りに設けられ、他方の長側壁１１ａ及び短側壁１１ｂに設けられた各一対の脚部１５は、所定間隔をおいて各側壁１１ａ、１１ｂのやや中央寄りに設けられている。さらに、これらの各脚部１５は、図２（ｂ）に示される第１容器体１１の中心点Ｏを中心に、前記各脚部係合部１２ａに対して点対称位置に設けられている。
【００１３】
図３（ａ）から（ｃ）に示すように、第２容器体２１及び第３容器体３１は、高さが異なる点以外は、上記第１容器体１１と同じタイプである。そして、図３（ｃ）に示される第３容器体３１は、図３（ａ）に示される第１容器体１１を上下方向に３倍に引き延ばした高さに形成されるとともに、図３（ｂ）に示される第２容器体２１を上下方向に２倍に引き延ばした高さに形成されている。
【００１４】
さらに、図１に示すように、第３容器体３１のスタッキング高さＳ３、すなわち係止角部１５ａから第３容器体３１の上端までの高さは、第１容器体１１のスタッキング高さＳ１の３倍の高さに形成されるとともに、第２容器体２１のスタッキング高さＳ２の２倍の高さに形成されている。すなわち、前記スタッキング高さＳ３は、スタッキング高さＳ１及びＳ２の最小公倍数になるように形成されている。
【００１５】
また、この第３容器体３１のスタッキング高さＳ３は、第３容器体３１のネスティング高さＮ３、すなわち第３容器体３１の下部フランジ１３から上部フランジ１２までの高さの３倍の高さに形成されている。同様に、この第３容器体３１のスタッキング高さＳ３は、第１容器体１１のネスティング高さＮ１の９倍の高さに形成されるとともに、第２容器体２１のネスティング高さＮ２の６倍の高さに形成されている。すなわち、前記スタッキング高さＳ３は、ネスティング高さＮ１、Ｎ２及びＮ３の最小公倍数になるように形成されている。
【００１６】
一方、第１容器体１１の下端から係止角部１５ａまでのラップ高さＬ１は、第２容器体２１及び第３容器体３１のラップ高さＬ２及びＬ３と同じ高さに形成されている。なお、以下の記載において、Ｌ１、Ｌ２又はＬ３をＬと記載する。
【００１７】
これら各容器体１１、２１、３１は、同じ高さの容器体１１、２１又は３１同士をスタッキング状態で上下に積み重ねて載置することができるとともに、同じ高さの容器体１１、２１又は３１同士をネスティング状態で上下に積み重ねて載置することができるように構成されている。また、異なる高さの容器体１１、２１、３１を適宜組み合わせて、スタッキング状態で上下に積み重ねることもできるように構成されている。さらに、第３容器体３１の上方に第２容器体２１又は第１容器体１１をネスティング状態で上下に積み重ねて載置することができるうえ、第２容器体２１の上方に第１容器体１１をネスティング状態で載置することができるようにも構成されている。
【００１８】
上記各容器体１１、２１、３１の作用について以下に記載する。
さて、同じ高さの容器体１１、２１又は３１同士をスタッキング状態で上下に積み重ねる場合には、まず、図４に示されるように、上下の容器体１１、２１又は３１同士のマーカー部１４を前後逆に配置するとともに、容器体１１、２１又は３１同士を上下に揃えて配置する。次に、上方の容器体１１、２１又は３１を降下させ、上方に位置する容器体１１、２１又は３１の各係止角部１５ａを、下方に位置する容器体１１、２１又は３１の対応する脚部係合部１２ａに係合させる。このとき、上方に位置する容器体１１、２１又は３１は、下方に位置する容器体１１、２１又は３１の脚部係合部１２ａ上に載置され、下方に位置する容器体１１、２１又は３１の収容空間を保持しつつ、スタッキング状態で上下に積み重ねることができる。
【００１９】
一方、同じ高さの容器体１１、２１又は３１同士をネスティング状態で上下に積み重ねる場合には、図５に示されるように、上下の容器体１１、２１又は３１同士のマーカー部１４の前後位置を揃えて配置するとともに、容器体１１、２１又は３１同士を上下に揃えて配置する。次に、上方の容器体１１、２１又は３１を降下させ、上方に位置する容器体１１、２１又は３１の各脚部１５を、下方に位置する容器体１１、２１又は３１の対応する脚部収容凹部１６内に挿入して係合させる。このとき、上方に位置する容器体１１、２１又は３１の下部は、下方に位置する容器体１１、２１又は３１の収容空間内に収容され、ネスティング状態で小さくコンパクトに上下に積み重ねることができる。
【００２０】
また、異なる高さの容器体１１、２１、３１を組み合わせて、スタッキング状態又はネスティング状態で上下に積み重ねる場合にも、上記と同様に行うことができる。
【００２１】
図１に示されるように、同じ高さの容器体１１、２１又は３１同士をスタッキング状態で上下に積み重ねたユニット４１の全高さは、以下のようになる。すなわち、上方に位置する容器体１１、２１又は３１の下端部のラップ高さＬに相当する高さが、下方に位置する容器体１１、２１又は３１の上端部と重なり合うことから、１つのラップ高さＬと、積み重ねられた複数個の容器体１１、２１又は３１のスタッキング高さＳ１、Ｓ２又はＳ３の和とを加えた高さになる。
【００２２】
そして、図１に示される３つの第１容器体１１をスタッキング状態で上下に積み重ねたときの全高さは、２つの第２容器体２１をスタッキング状態で上下に積み重ねたときの全高さ、又は１つの第３容器体３１の全高さと等しくなる。従って、容器体１１、２１又は３１同士をスタッキング状態で上下に積み重ねたときの各ユニット４１は、第１容器体１１、第２容器体２１及び第３容器体３１を３対２対１の個数比で積み重ねることによって、全てのユニット４１の上端の高さを揃えて配置することができる。
【００２３】
同様に、容器体３１又は２１同士をスタッキング状態で上下に積み重ねたときの各ユニット４１は、第３容器体３１及び第２容器体２１を１対２の個数比で積み重ねることによって、全てのユニット４１の上端の高さを揃えて配置することができる。また、容器体３１又は１１同士をスタッキング状態で上下に積み重ねたときの各ユニット４１は、第３容器体３１及び第１容器体１１を１対３の個数比で積み重ねることによって、全てのユニット４１の上端の高さを揃えて配置することができる。また、容器体２１又は１１同士をスタッキング状態で上下に積み重ねたときの各ユニット４１は、第２容器体２１及び第１容器体１１を２対３の個数比で積み重ねることによって、全てのユニット４１の上端の高さを揃えて配置することができる。
【００２４】
一方、第１容器体１１、第２容器体２１及び第３容器体３１をスタッキング状態で上下に積み重ねたときのユニット４１の全高さは、第１容器体１１の個数及び第２容器体２１の個数をそれぞれ３の倍数及び２の倍数にすることによって、第３容器体３１同士のみをスタッキング状態で上下に積み重ねたときのユニット４１の全高さと同じ高さに揃えることができる。従って、これら３種類の容器体１１、２１及び３１をスタッキング状態で上下に積み重ねたときのユニット４１の全高さは、以下に示す（Ａ）〜（Ｆ）の６種類の高さになる。すなわち、
（Ａ）  １つのラップ高さＬに、スタッキング高さＳ３の整数倍を加えた高さ（Ｌ＋ｎ×Ｓ３（但し、ｎは整数を表す））、
（Ｂ）  １つのラップ高さＬに、スタッキング高さＳ３の整数倍及び１つのスタッキング高さＳ２を加えた高さ（Ｌ＋（ｎ＋１／２）×Ｓ３）、
（Ｃ）  １つのラップ高さＬに、スタッキング高さＳ３の整数倍、１つのスタッキング高さＳ２及び１つのスタッキング高さＳ１を加えた高さ（Ｌ＋（ｎ＋５／６）×Ｓ３）、
（Ｄ）  １つのラップ高さＬに、スタッキング高さＳ３の整数倍、１つのスタッキング高さＳ２及び２つのスタッキング高さＳ１を加えた高さ（Ｌ＋（ｎ＋１／６）×Ｓ３）、
（Ｅ）  １つのラップ高さＬに、スタッキング高さＳ３の整数倍及び１つのスタッキング高さＳ１を加えた高さ（Ｌ＋（ｎ＋１／３）×Ｓ３）、
（Ｆ）  １つのラップ高さＬに、スタッキング高さＳ３の整数倍及び２つのスタッキング高さＳ１を加えた高さ（Ｌ＋（ｎ＋２／３）×Ｓ３）。
【００２５】
そして、これら３種類の容器体１１、２１及び３１を任意に選んで、スタッキング状態で上下に積み重ねたときの各ユニット４１の上端は、前記の６種類の高さのいずれかに揃えることができる。
【００２６】
同様に、第２容器体２１及び第３容器体３１をスタッキング状態で上下に積み重ねたときのユニット４１の全高さは、前記（Ａ）又は（Ｂ）のいずれかの高さになる。また、第１容器体１１及び第３容器体３１をスタッキング状態で上下に積み重ねたときのユニット４１の全高さは、前記（Ａ）、（Ｅ）又は（Ｆ）のいずれかの高さになる。また、第１容器体１１及び第２容器体２１をスタッキング状態で上下に積み重ねたときのユニット４１の全高さは、前記（Ａ）〜（Ｆ）のいずれかの高さになる。
【００２７】
従って、第１から第３容器体１１、２１、３１のうちから２種類を適宜選択して、スタッキング状態で上下に積み重ねたときの各ユニット４１の上端は、前記３種類の容器体１１、２１及び３１を組み合わせて、スタッキング状態で上下に積み重ねたときのユニット４１の上端と同じ高さに揃えることができる。また、前記２種類の容器体１１、２１、３１を適宜組み合わせて、スタッキング状態で上下に積み重ねたときの各ユニット４１の上端を揃えることも可能である。
【００２８】
また、第１容器体１１、第２容器体２１及び第３容器体３１の少なくとも１種をネスティング状態で上下に積み重ねたときのユニット４１の全高さは、以下のようになる。すなわち、上方に位置する容器体１１、２１又は３１の底部が、下方に位置する容器体１１、２１又は３１の収容空間内に収容されることから、最下位置の容器体１１、２１又は３１の全高さに加えて、上方に位置する容器体１１、２１、３１のネスティング高さＮ１、Ｎ２、Ｎ３が加えられた高さになる。
【００２９】
さらに、容器体１１、２１及び３１のネスティング高さＮ１、Ｎ２及びＮ３の高さの比は、スタッキング高さＳ１、Ｓ２及びＳ３の比と同じであることから、前記スタッキング状態で上下に積み重ねる場合と同様に、容器体１１、２１又は３１同士をネスティング状態で上下に積み重ねたときの各ユニット４１の上端の高さを揃えることができる。
【００３０】
同様に、容器体１１、２１及び３１の少なくとも１種をネスティング状態で上下に積み重ねたときの各ユニット４１の上端の高さを揃えることもできる。加えて、容器体１１、２１及び３１の少なくとも１種を、スタッキング状態及びネスティング状態を組み合わせて上下に積み重ねる場合にも同様に、各ユニット４１の上端を揃えることが可能である。
【００３１】
上記の実施形態によって発揮される効果について、以下に記載する。
・  実施形態の運搬用容器は、第１容器体１１、第２容器体２１及び第３容器体３１同士をスタッキング状態及びネスティング状態で上下に積み重ねることができるとともに、これらの容器体１１、２１、３１を組み合わせてスタッキング状態及びネスティング状態で上下に積み重ねることができるように構成されている。このため、同じタイプで高さの異なる複数種類の運搬用容器を上下に積み重ねて容易に運搬することができる。また、運搬用容器内に収容される被収容物の大きさや形状等に合った高さの運搬用容器を適宜選択して収容することができることから、非常に便利である。
【００３２】
さらに、この実施形態の運搬用容器は、複数個の容器体１１、２１、３１をスタッキング状態及びネスティング状態で上下に積み重ねたときの各ユニット４１を横方向に並べて配置したとき、各ユニット４１の上端の高さを揃えることができるように構成されている。このため、例えば、パレットや車両の荷台等の上に複数のユニット４１を横方向に並べて配置し、さらにそれら複数のユニット４１の上端をロープ等を用いて係止した場合には、全てのユニット４１の上端を強固にかつ均等な力で係止することが可能である。従って、これらの運搬用容器の荷崩れを防止しながら、容易に運搬することができる。
【００３３】
また、例えば、上端の高さが揃えられて平坦になった各ユニット４１の上端に、パレットを載置することも可能である。このとき、前記パレット上にさらに多数の運搬用容器を安定に積み重ねることができるとともに、前記パレットの上方の運搬用容器と下方の運搬用容器とを、フォークリフトを用いて非常に容易に分離することができる。
【００３４】
・  実施形態の運搬用容器は、第３容器体３１のスタッキング高さＳ３が、スタッキング高さＳ１及びＳ２、並びにネスティング高さＮ１、Ｎ２及びＮ３の最小公倍数になるように形成されている。このため、複数個の容器体１１、２１、３１をスタッキング状態及びネスティング状態で上下に積み重ねたときの各ユニット４１を横方向に並べて配置したとき、各ユニット４１の上端の高さをさらに容易かつ確実に揃えることができる。
【００３５】
なお、上記実施形態は、次のように変更して具体化することも可能である。
・  図６に示すように、第１容器体１１、第２容器体２１及び第３容器体３１を構成する対向する各一対の長側壁１１ａ及び短側壁１１ｂに、脚部１５及び脚部収容凹部１６を左右対称に設けるとともに、脚部係合部１２ａ及びマーカー部１４を省略して構成すること。さらに、これら各容器体１１、２１、３１の４つのコーナ部に段差部５１を設けるとともに、対向する一対の短側壁１１ｂの上端部に、一対のハンドル５２を回動可能に軸着すること。
【００３６】
なお、これらの運搬用容器は、一対のハンドル５２を内方に回動させて段差部５１の上面に配置したとき、容器体１１、２１、３１をスタッキング状態で上下に積み重ねることができるものである。また、両ハンドル５２を外方に回動させて短側壁１１ｂに添着させたとき、容器体１１、２１、３１をネスティング状態で上下に積み重ねることができるものである。
【００３７】
このように構成した場合、運搬用容器をスタッキング状態又はネスティング状態で上下に積み重ねるときに、上方に載置する容器体１１、２１、３１の向きに配慮する必要がないことから、運搬用容器の積み重ねを容易に行うことができる。特に、上方に載置する容器体１１、２１又は３１内の被収容物の重量が大きいときには大変便利である。
【００３８】
・  第１容器体１１、第２容器体２１及び第３容器体３１を、図７（ａ）及び（ｂ）に示されるように構成すること。すなわち、これらの容器体１１、２１及び３１は、マーカー部１４を設ける代わりに、容器体１１、２１、３１の片側半分を着色することによって着色部１４ａが設けられているうえ、対向する各一対の長側壁１１ａ及び短側壁１１ｂは、ほぼ垂立している。
【００３９】
さらに、各一対の長側壁１１ａ及び短側壁１１ｂの下端から下部フランジ１３にかけて脚部１５が設けられるとともに、下部フランジ１３から上部フランジ１２にかけて、前記脚部１５に隣接するように脚部収容凹部１６が設けられている。加えて、対向する一対の長側壁１１ａに設けられた脚部１５同士が左右対称に形成され、対向する一対の長側壁１１ａに設けられた脚部収容凹部１６同士が左右対称に形成されている。そのうえ、対向する一対の短側壁１１ｂに設けられた脚部１５と、対向する一対の短側壁１１ｂに設けられた脚部収容凹部１６とが、それぞれ前後対称に形成されている。
【００４０】
なお、前記着色部１４ａを設ける代わりに、マーカー部１４を設けても構わない。
このように構成した場合、容器体１１、２１、３１の各側壁１１ａ、１１ｂがほぼ垂立していることから、各容器体１１、２１、３１の収容空間を大きくすることができる。さらに、容器体１１、２１、３１をスタッキング状態で上下に積み重ねたときには、上方に位置する容器体１１、２１又は３１の脚部１５と、下方に位置する容器体１１、２１又は３１の脚部１５とが上下に揃って配置されていることから、重量の大きな被収容物を収容した場合でも、高い強度を保持することが可能である。
【００４１】
・  第２容器体２１を図８（ａ）に示されるように構成するとともに、第３容器体３１を図８（ｂ）に示されるように構成すること。
すなわち、この第２容器体２１の短側壁１１ｂは、第１容器体１１の長側壁１１ａと同じ長さに形成され、第２容器体２１の長側壁１１ａは、第１容器体１１の短側壁１１ｂの２倍の長さに形成されている。さらに、第２容器体２１の各長側壁１１ａには、それぞれ２対の脚部１５及び脚部収容凹部１６が設けられている。
【００４２】
そして、第１容器体１１の長さ方向が第２容器体２１の幅方向になるように配置することによって、２つの第１容器体１１を１つの第２容器体２１の上部フランジ１３上に横方向に並べて、スタッキング状態及びネスティング状態の少なくとも１種の状態で載置することができるように構成されている。さらに、前記第１容器体１１と第２容器体２１の上下を逆にして、２つの第１容器体１１の上部フランジ１３上に、１つの第２容器体２１をスタッキング状態で載置することもできるように構成されている。
【００４３】
一方、第３容器体３１の短側壁１１ｂは、第２容器体２１の長側壁１１ａと同じ長さに形成され、第３容器体３１の長側壁１１ａは、第２容器体２１の短側壁１１ｂの２倍の長さに形成されている。さらに、第３容器体３１の各長側壁１１ａ及び短側壁１１ｂには、それぞれ２対の脚部１５及び脚部収容凹部１６が設けられている。
【００４４】
そして、第２容器体２１の長さ方向が第３容器体３１の幅方向になるように配置することによって、２つの第２容器体２１を１つの第３容器体３１の上部フランジ１３上に横方向に並べて、スタッキング状態及びネスティング状態の少なくとも１種の状態で載置することができるように構成されている。さらに、前記第２容器体２１と第３容器体３１の上下を逆にして、２つの第２容器体２１の上部フランジ１３上に、１つの第３容器体３１をスタッキング状態で載置することもできるように構成されている。
【００４５】
また、１つの第３容器体３１の上部フランジ１３上に、４つの第１容器体１１、又は２つの第１容器体１１と１つの第２容器体２１をスタッキング状態及びネスティング状態の少なくとも１種の状態で載置することもできるように構成されている。さらに、前記４つの第１容器体１１、又は２つの第１容器体１１と１つの第２容器体２１の上方に、１つの第３容器体３１をスタッキング状態で載置することもできるように構成されている。
【００４６】
さらに、第２容器体２１の長側壁１１ａ及び短側壁１１ｂをそれぞれ２倍の長さに形成した第４容器体を設けてもよく、第３容器体３１の長側壁１１ａ及び短側壁１１ｂをそれぞれ２倍の長さに形成した第５容器体を設けてもよい。
【００４７】
このように構成した場合、異なったサイズの運搬用容器内に、様々な大きさの被収容物を収容することができることから、運搬用容器の用途をさらに拡大することができる。
【００４８】
・  第１容器体１１、第２容器体２１及び第３容器体３１を有底三角箱状、有底四角箱状、有底六角箱状、有底八角箱状等の有底多角箱状、又は有底円箱状若しくは有底楕円箱状に形成すること。
【００４９】
このように構成した場合、運搬用容器内に収容される被収容物の形状に合わせて、より広範囲な用途に使用することができる。
・  同じタイプで高さの異なる運搬用容器を１つ又は２つ以上追加して構成すること。さらに、最も高い容器体のスタッキング高さが、各容器体のスタッキング高さ及びネスティング高さの最小公倍数となるように形成するのが好ましい。
【００５０】
このように構成した場合、運搬用容器の用途をより一層拡大することができる。
・  第１容器体１１のスタッキング高さＳ１を、第３容器体３１のスタッキング高さＳ３の４分の１の高さに形成するとともに、第１容器体１１のネスティング高さＮ１を、第３容器体３１のスタッキング高さＳ３の１２分の１の高さに形成すること。
【００５１】
このように構成した場合、第１容器体１１のスタッキング高さＳ１及びネスティング高さＮ１を、それぞれ第２容器体２１のスタッキング高さＳ２及びネスティング高さＮ２の２分の１の高さに形成することができる。このため、第３容器体３１に対する第２容器体２１の関係と、第２容器体２１に対する第１容器体１１の関係とが相似関係となり、複数個の容器体１１、２１、３１をスタッキング状態及びネスティング状態で上下に積み重ねたときの各ユニット４１を横方向に並べて配置したとき、各ユニット４１の上端の高さを非常に容易に揃えることができる。
【００５２】
・  脚部１５の下端に係止角部１５ａを設け、ラップ高さＬを零又はほとんど零にすること。
このように構成した場合、複数個の容器体１１、２１、３１をスタッキング状態で上下に積み重ねたときのラップ高さＬをほとんど無視することができることから、下方に位置する容器体１１、２１又は３１内の収容空間を拡大させることができる。
【００５３】
・  脚部係合部１２ａを実施形態の深さよりも深く凹設すること。
このように構成した場合、複数個の容器体１１、２１、３１をスタッキング状態で上下に積み重ねたときに、脚部係合部１２ａと係止角部１５ａとをずれ難くすることができることから、ユニット４１の安定性をより一層向上させることができる。
【００５４】
・  ラップ高さＬ１、Ｌ２及びＬ３の少なくとも１種を、Ｌ以外の高さに形成すること。
・  脚部係合部１２ａ、下部フランジ１３、マーカー部１４及び係止角部１５ａの少なくとも１種を省略して構成すること。
【００５５】
このように構成した場合、運搬用容器の構成を簡略化することができる。
さらに、前記実施形態より把握できる技術的思想について以下に記載する。
（１）  前記各容器体のスタッキング高さ及びネスティング高さを、前記最大の高さを有する容器体のスタッキング高さの２分の１の整数乗の高さに形成した運搬用容器。
【００５６】
このように構成した場合、同じタイプで高さの異なる複数種類の運搬用容器を上下に積み重ねてユニットを形成した後、複数のユニットを横方向に並べて配置したとき、各ユニットの上端の高さをより一層容易に揃えることができる。
【００５７】
（２）  前記容器体の下端部に係止部を設け、下方に位置する容器体の上端部に、上方に位置する容器体の係止部を係合させることによって、上下の容器体をスタッキング状態で上下に積み重ねることができるように構成するとともに、各容器体の下端から前記係止部までのラップ高さが一定になるように形成した運搬用容器。
【００５８】
このように構成した場合、複数個の容器体をスタッキング状態で上下に積み重ねたときの容器体のずれを防止することができる。さらに、ラップ高さが一定であることから、複数のユニットを横方向に並べて配置したとき、各ユニットの上端の高さを容易に揃えることができる。
【００５９】
【発明の効果】
以上詳述したように、この発明によれば、次のような効果を奏する。
各請求項に記載の発明の運搬用容器によれば、同じタイプで高さの異なる複数種類の運搬用容器を上下に積み重ねてユニットを形成した後、複数のユニットを横方向に並べて配置したとき、各ユニットの上端の高さを揃えることができる。
【００６０】
また、複数のユニットを横方向に並べて配置したとき、各ユニットの上端の高さを容易に揃えることができる。
【図面の簡単な説明】
【図１】  実施形態の運搬用容器を積み重ねた状態を示す正断面図。
【図２】  （ａ）は実施形態の容器体を示す斜視図、（ｂ）は同じく平面図。
【図３】  （ａ）は実施形態の第１容器体を示す側面図、（ｂ）は同じく第２容器体を示す側面図、（ｃ）は同じく第３容器体を示す側面図。
【図４】  実施形態のスタッキング状態の容器体を示す分解斜視図。
【図５】  実施形態のネスティング状態の容器体を示す分解斜視図。
【図６】  実施形態以外のスタッキング状態の容器体を示す分解斜視図。
【図７】  （ａ）は実施形態以外の運搬用容器を示す斜視図、（ｂ）は同じく平面図。
【図８】  （ａ）は実施形態以外の第２容器体を示す平面図、（ｂ）は同じく第３容器体を示す平面図。
【符号の説明】
１１…容器体としての第１容器体、２１…容器体としての第２容器体、３１…容器体としての第３容器体、４１…ユニット、Ｓ１…スタッキング高さとしての第１容器体のスタッキング高さ、Ｓ２…スタッキング高さとしての第２容器体のスタッキング高さ、Ｓ３…最大の高さを有する容器体のスタッキング高さとしての第３容器体のスタッキング高さ、Ｎ１…ネスティング高さとしての第１容器体のネスティング高さ、Ｎ２…ネスティング高さとしての第２容器体のネスティング高さ、Ｎ３…ネスティング高さとしての第３容器体のネスティング高さ。
【図１】
0004608039.tif 000002
【図２】
0004608039.tif 000003
【図３】
0004608039.tif 000004
【図４】
0004608039.tif 000005
【図５】
0004608039.tif 000006
【図６】
0004608039.tif 000007
【図７】
0004608039.tif 000008
【図８】
0004608039.tif 000009